(57)【要約】【課題】  センサ回路が形成された基板への取り付けが確実且つ容易に行うことができると共に、前記基板への取り付けスペースを抑えることで小型化が可能なシールドカバーを備えたリモコンセンサを提供することである。【解決手段】  角部に外部接続電極２１を有する基板１２と、この基板１２上に実装される受光機能を有したセンサ回路部１３と、このセンサ回路部１３を封止する封止樹脂体１４と、この封止樹脂体１４を覆い、前記基板１２に固定されるシールドカバー１５とを備えたリモコンセンサ１１において、前記シールドカバー１５が、前記基板１２の角部に凹設されている外部接続電極２１に係止される係止爪２５を有して形成した。【選択図】      図２
2007059571.tif 000002
【特許請求の範囲】
【請求項１】
角部に外部接続電極を有する基板と、この基板上に実装される受光機能を有したセンサ回路部と、このセンサ回路部を封止する封止樹脂体と、この封止樹脂体を覆い、前記基板に固定されるシールドカバーとを備えたリモコンセンサにおいて、
前記シールドカバーには、前記基板の角部に設けられた外部接続電極に係止される係止爪が形成されていることを特徴とするリモコンセンサ。
【請求項２】
前記外部接続電極が四角形状の基板の四隅に形成され、対角線上に位置するいずれか一対の外部接続電極に前記係止爪が係止される請求項１記載のリモコンセンサ。
【請求項３】
前記外部接続電極は、前記基板の角部に凹設されたスルーホール電極である請求項１又は２記載のリモコンセンサ。
【請求項４】
前記シールドカバーは、前記封止樹脂体の上面を覆う天板と、この天板の周囲から前記封止樹脂体の側面を覆う側板と、この側板の下端部に設けられる前記係止爪とによって形成される請求項１記載のリモコンセンサ。
【請求項５】
前記係止爪は、前記側板の下端から前記基板の側面に延びる脚部の先端に形成され、この先端部分を折り曲げて前記外部接続電極に係止される請求項４記載のリモコンセンサ。
【請求項６】
前記シールドカバーは、導電部材で形成され、前記外部接続電極を介して接地される請求項１記載のリモコンセンサ。
【発明の詳細な説明】
【技術分野】
【０００１】
本発明は、テレビなどの電気製品に内蔵され、赤外線等の光を介して遠隔操作指令を受け付ける受光回路部を有するリモートコントロール（リモコン）センサに関し、特に、前記受光回路部を覆うシールドカバーが取り付けられたリモコンセンサに関するものである。
【背景技術】
【０００２】
テレビやビデオデッキなどの電気製品に多く搭載されているリモコン装置は、電気製品の本体側に内蔵される受信部（リモコンセンサ）と、このリモコンセンサに向けて離れた場所から操作指令を赤外線等によって送出する送信部とで構成されている。図４は、従来のリモコンセンサ１の外観形状を示したものである（特許文献１参照）。このリモコンセンサ１は、基板２と、この基板２上に実装されるセンサ回路部（図示せず）と、このセンサ回路部の上方を封止する封止樹脂体３と、この封止樹脂体３覆い、前記基板２に固定されるシールドカバー４とで構成されている。
【０００３】
前記センサ回路部は、赤外線領域の光を受光するフォトトランジスタやフォトＩＣなどの受光素子と、この受光素子によって取り込まれた光を電気信号に変換すると共に、操作指令を解読して実際の操作を行わせるための各種の集積回路（ＩＣ）、その他抵抗やコンデンサなどで構成されている。
【０００４】
前記センサ回路部が形成される基板２の四隅には、図５に示すような外部接続電極（スルーホール電極）５が設けられ、側面には、前記シールドカバー４を固定するための係止孔６が設けられている。この係止孔６は、前記スルーホール電極５と一緒に形成した電極のない貫通孔であり、シールドカバー４を固定するためだけに設けられている。符号７は、前記センサ回路部を形成するための電極パターンや配線パターンが設けられるパターン領域を示したものである。
【０００５】
前記シールドカバー４は、前記センサ回路部の一部を露出する窓孔８を除いた封止樹脂体３の上面を覆う天板４ａと、この天板４ａの外周部から前記封止樹脂体３の側面までを覆う側板４ｂとで一体形成されている。また、前記側板４ｂの下端部には、前記基板２に設けられている係止孔６に向けて折り曲げ可能な係止爪９を先端部に有した脚部１０が設けられている。このシールドカバー４は、金属材料で形成され、前記センサ回路部を保護すると共に、不要な電磁波等をシールドする役割を有している。
【特許文献１】特開２００３−３７２７６号公報
【発明の開示】
【発明が解決しようとする課題】
【０００６】
上記リモコンセンサ１にあっては、基板２に外部接続電極５となるスルーホールやシールドカバー４に設けた係止爪９を係止するためのスルーホールを設けなければならないため、基板２の形成に要する工数やコストが余計に掛かるといった問題がある。
【０００７】
また、前記基板２にはセンサ回路部を構成するための配線パターンが形成されているため、前記係止爪９が係止される係止孔６をセンサ回路部のパターン領域７を避けるようにして設けるか、前記係止孔６を設けるスペースを別に確保しなければならない。このため、前記基板２のサイズが大きくなり、リモコンセンサ１の小型化が制限されるといった問題も有している。
【０００８】
そこで、本発明の目的は、センサ回路が形成された基板への取り付けが確実且つ容易に行うことができると共に、前記基板への取り付けスペースを抑えることで小型化が可能なシールドカバーを備えたリモコンセンサを提供することである。
【課題を解決するための手段】
【０００９】
上記課題を解決するために、本発明のリモコンセンサは、角部に外部接続電極を有する基板と、この基板上に実装される受光機能を有したセンサ回路部と、このセンサ回路部を封止する封止樹脂体と、この封止樹脂体を覆い、前記基板に固定されるシールドカバーとを備えたリモコンセンサにおいて、前記シールドカバーには、前記基板の角部に設けられた外部接続電極に係止される係止爪が形成されていることを特徴とする。
【発明の効果】
【００１０】
本発明に係るリモコンセンサによれば、センサ回路が形成された基板に装着されるシールドカバーが、前記基板の角部に設けられている外部接続電極に対応させた係止爪を有して形成されているため、このシールドカバーを基板に確実且つ容易に固定することができる。また、前記シールドカバーを取り付けるだけの専用の係止孔を設ける必要がないため、基板のサイズが最小限に抑えられ、リモコンセンサ全体の小型化が図られる。
【発明を実施するための最良の形態】
【００１１】
以下、添付図面に基づいて本発明に係るリモコンセンサの実施形態を詳細に説明する。
【００１２】
図１及び図２に示すように、本発明のリモコンセンサ１１は、基板１２と、この基板１２上に形成されるセンサ回路部１３と、このセンサ回路部１３を封止する封止樹脂体１４と、この封止樹脂体１４を覆う一部に窓孔２６を有したシールドカバー１５とで構成されている。このリモコンセンサ１１は、テレビなどの前面にある操作パネルの裏面側に前記シールドカバー１５の窓孔２６が形成された面を向けて搭載される。
【００１３】
前記基板１２は、図３に示すように、エポキシ樹脂等で四角形状に形成されており、四隅には外部接続電極２１が円弧状に凹設して設けられている。この外部接続電極２１は、前記基板１２の表面から裏面にかけて貫通するスルーホール電極である。この基板１２の表面には受光素子やその他の電子部品などからなるセンサ回路部１３を実装するための図示しない電極パターンや配線パターンが形成されている。符号１８は、前記センサ回路部１３におけるパターン領域を示したものである。前記センサ回路部１３は、フォトダイオードやフォトトランジスタからなる受光素子と、この受光素子によって検出された光を電気信号に変換し、各種の信号処理を行わせるための機能を備えた集積回路（ＩＣ）や抵抗、コンデンサなどの受動部品によって構成されている。このセンサ回路部１３は、赤外線を透過し易いエポキシ樹脂で成形された封止樹脂体１４によって前記基板１２上に封止される。この封止樹脂体１４は、前記センサ回路部１３を外部からの衝撃や湿気等から保護する役割を有している。
【００１４】
前記シールドカバー１５は、導電性が良好なリン青銅や鉄等の薄い金属板で形成され、図２に示されるように、前記封止樹脂体１４の上面を覆う四角形状の天板２２と、この天板２２の周囲から封止樹脂体１４の側面に密着する側板２３ａ〜２３ｄと、前記側板２３ａ，２３ｃの下端から延びる脚部２４とで一体形成されている。前記天板２２には、前記封止樹脂体１４によって封止されたセンサ回路部１３の中の受光領域１６を露出させるための窓孔２６が設けられる。前記側板２３ａ〜２３ｄは、封止樹脂体１４の４方向の側面に密着して覆い、封止樹脂体１４によって封止されているセンサ回路部１３を遮蔽している。この側板２３ａ〜２３ｄは、前記天板２２の外周部からプレス等によって、下向きに折り曲げて成形されるか、金属の一枚板を絞り加工することによって成形される。また、前記脚部２４は、前記外部接続電極２１に対応した側板２３ａ，２３ｃの下端部から基板１２の側面に沿って突出して設けられ、その先端部が前記外部接続電極２１に向けて折曲げ可能な係止爪２５になっている。この係止爪２５は、外部接続電極２１の凹み部の一部に掛かるように折り曲げることによって固定されるが、固定をより確実にする場合は、前記凹み部に沿って密着するように折り曲げてもよい。また、前記脚部２４は、基板１２の四隅に形成されている全ての外部接続電極２１に対応して設けてもよいが、本実施形態で示したように、少なくとも対角線上に位置しているいずれか一対の外部接続電極２１に係止させるように形成すればよい。このように前記係止爪２５をシールドカバー１５に一対設けるだけで、基板１２への固定を確実にすることができる。なお、本実施形態では前記脚部２４を側板２３ａ，２３ｃに設けたが、別の対向する側板２３ｂ，２３ｄに設けてもよい。
【００１５】
前記シールドカバー１５は、図２に示したように、センサ回路部１３の受光領域１６が窓孔２６から露出するようにして、前記封止樹脂体１４の上に被せ、側板２３を前記封止樹脂体１４の側面に密着させる。そして、前記側板２３から延びる脚部２４を基板１２の側面に密着させ、係止爪２５を内側に折り曲げて前記外部接続電極２１の凹設した部分に引っ掛けるようにして固定する。なお、前記外部接続電極２１は、スルーホール電極であるため、円弧状に凹設されているが、このような円弧状に限らず、例えば、基板１２の角部を鋭角状に切り込んだような溝のように、前記係止爪２５が引っ掛かるような凹み部があればよい。
【００１６】
また、前記封止樹脂体１４で封止されたセンサ回路部１３は、受光領域１６を除いた上面及び側面が導電性の良好な金属板からなるシールドカバー１５で遮蔽されているため、センサ回路部１３に悪影響を及ぼす電磁波等の有害な電波を有効にシールドすることができる。また、係止爪２５を介することで、外部接続電極２１との導通が図られる。特に、前記係止爪２５によって固定される外部接続電極２１の少なくとも一つをマザーボード等のグランドラインに接続させることによって、シールド効果がより確実になる。これによって、センサ回路部１３における赤外線等の受光感度を低下させることなく、長期に亘って安定した動作状態を維持することが可能となる。
【００１７】
上記実施形態では、センサ回路部１３を構成する基板１２が四隅にスルーホール電極を有した四角形状に形成したものであったが、このような四角形状の基板に限定されるものではなく、例えば、三角形状や多角形状の基板を用い、その角部に凹状の外部接続電極又はスルーホール電極を設けたものであってもよい。シールドカバーは、前記様々な基板形状に合わせた天板と、この天板の周囲から前記基板の側面に密接する側板とで形成され、この側板から前記外部接続電極又はスルーホール電極に向けて延びる脚部の先端に係止爪が形成される。このように、センサ回路部を構成する基板形状が各種の電子機器の搭載スペースに応じて異なる場合であっても、前記シールドカバーの取り付けに要するスペースを最小限に抑えた小型のリモコンセンサを形成することが可能となる。
【００１８】
以上説明したように、本発明のリモコンセンサ１１によれば、シールドカバー１５の取り付けを基板１２の角部を凹設した外部接続電極２１に引っ掛けて固定するため、基板１２に取り付け用の孔部等を新たに形成したり、この孔部を避けて電極パターンや配線パターンを引き回したりするといった制限を設ける必要がなくなる。このため、製造工数や製造コストの削減が図られると共に、誤動作のない安定した遠隔操作を行うことが可能となる。また、前記シールドカバー１５が導電性部材で構成され、このシールドカバー１５を固定するための係止爪２５が直接外部接続電極２１に接続されていることから、基板１２を介した電気的接地が確実且つ容易に行える。
【図面の簡単な説明】
【００１９】
【図１】本発明に係るリモコンセンサの斜視図である。
【図２】上記リモコンセンサの組立斜視図である。
【図３】上記リモコンセンサの底面図である。
【図４】従来のリモコンセンサの斜視図である。
【図５】上記従来のリモコンセンサの底面図である。
【符号の説明】
【００２０】
１１  リモコンセンサ
１２  基板
１３  センサ回路部
１４  封止樹脂体
１５  シールドカバー
１６  受光領域
１８  パターン領域
２１  外部接続電極
２２  天板
２３  側板
２４  脚部
２５  係止爪
２６  窓孔
【図１】
2007059571.tif 000003
【図２】
2007059571.tif 000004
【図３】
2007059571.tif 000005
【図４】
2007059571.tif 000006
【図５】
2007059571.tif 000007